(57)【要約】【課題】  本発明は安全で無害な銀及び/または金イオンが発生されるようにして水中に含まれている有害な菌等の細胞内に容易に侵透して、優れた殺菌力を発揮することができるビデ用殺菌装置を提供すること。【解決手段】  本発明によるビデ用殺菌装置はビデ本体から整流された電流を収容する電流端子、前記電流端子から収容された電流をイオン化に適正な電流で維持させる電流制御部、水と接触されて前記整流された電流によってイオン化が起きる電極部、前記電流制御部に一端が接触されて、他端は前記電極部と接触される電極がイドポル、及び前記電極部が収容されるハウジングが含まれる。また、本発明によるビデ用殺菌装置は水が入るイオン発生室、前記イオン発生室で水が流入及び吐出される流入口及び吐出口、前記イオン発生室が固定されるようにする締結翼が含まれるハウジング及び前記イオン発生室に収容される電極部が形成されて水にイオンが溶解されるようにするイオン発生部が含まれる。【選択図】  図１
2005042533.tif 000002
【特許請求の範囲】
【請求項１】
ビデ本体から整流された電流を収容する電流端子と、
前記電流端子から収容された電流をイオン化に適正な電流で維持させる電流制御部と、
水と接触され前記整流された電流によってイオン化が起きる電極部と、
前記電流制御部に一端が接触されて、他端は前記電極部と接触される電極ガイドポル、及び
前記電極部が収容されるハウジング(ｈｏｕｓｉｎｇ)が含まれることを特徴とする、
ビデ用殺菌装置。
【請求項２】
前記電流制御部にはイオン化に適正な電流で維持及び制御されるようにする静電流制御回路が含まれることを特徴とする、請求項１に記載のビデ用殺菌装置。
【請求項３】
前記電流制御部は印刷回路基板で成り立つことを特徴とする、請求項１に記載のビデ用殺菌装置。
【請求項４】
前記電流制御部によって制御される電流の一極は前記電極ガイドポルに接点されていて、他極は前記電極部に接点されることを特徴とする、請求項１に記載のビデ用殺菌装置。
【請求項５】
前記電極部は銀及び/または金が含まれることを特徴とする、請求項１に記載のビデ用殺菌装置。
【請求項６】
前記電極部は球形状であることを特徴とする、請求項１に記載のビデ用殺菌装置。
【請求項７】
前記電極部は棒または板材形状であることを特徴とする、請求項１に記載のビデ用殺菌装置。
【請求項８】
前記電極ガイドポルは電極カバーによって保護されて、前記電極ガイドポルと前記電極部の間に絶縁体が挿入されることを特徴とする、請求項１に記載のビデ用殺菌装置。
【請求項９】
前記電極ガイドポルの上側に覆いが形成されて、外周面に密封部材が絡められることを特徴とする、請求項１に記載のビデ用殺菌装置。
【請求項１０】
前記覆いは使用者が取って回すことを容易にするために多角形模様を形成することを特徴とする、請求項９に記載のビデ用殺菌装置。
【請求項１１】
水が入っているイオン発生室と、
前記イオン発生室で水が流入及び吐出される流入口及び吐出口と、
前記イオン発生室が固定されるようにする締結翼が含まれるハウジング、及び
前記イオン発生室に収容される電極部が形成されて水にイオンが溶解されるようにするイオン発生部が含まれることを特徴とする、
ビデ用殺菌装置。
【請求項１２】
前記イオン発生室は下部の角がラウンドになったことを特徴とする、請求項１１に記載のビデ用殺菌装置。
【請求項１３】
前記流入口と吐出口は前記イオン発生室外周面で高さを異にして形成されることを特徴とする、請求項１１に記載のビデ用殺菌装置。
【請求項１４】
前記流入口または吐出口と連結される連結部材の締結力を高めるため、終端部にホース締結部位が含まれることを特徴とする、請求項１１に記載のビデ用殺菌装置。
【請求項１５】
水が流入される流入口と、
イオン化水が吐出される吐出口が含まれるハウジング、及び
流入される前記水とイオン化反応を起こす電極部と、
イオン化に適正な電流が前記電極部に印加されるようにする電流制御部が含まれて殺菌機能が遂行される少なくとも一つのイオン発生部と、が含まれることを特徴とする。
ビデ用殺菌装置。
【請求項１６】
前記ハウジングと前記イオン発生部は着脱が可能なことを特徴とする、請求項１５に記載のビデ用殺菌装置。
【発明の詳細な説明】
【技術分野】
【０００１】
本発明は銀及び/または金イオンを利用したビデ用殺菌装置に関し、より詳細には、用便後人体に残っている大膓菌のような細菌を死滅させ、またビデを構成する水槽の水流入部に設置され温水で水を暖める水槽内の微生物の繁殖防止及び殺菌を可能にするビデ用殺菌装置に関するものである。
【背景技術】
【０００２】
近来、生活水準が高くなりビデを使う家庭が増加していて、それに伴いビデも単純な洗浄機能だけを持つことより、それ以外の他の付加的機能を具備することが要求されている。
【０００３】
その中の一つが優れた殺菌作用の要求である。なぜならば、用便後ちり紙を使わずに水洗いすることで、衛生上安全な効果があるが、完全に洗浄されないこともあって、人体の局部に有害な菌が残っていることがあるためである。
【０００４】
さらに、女性の場合は、身体構造上生殖器部分が細菌に感染されやすいので洗浄と同時に殺菌作用にも優れたビデが要求される。言い換えれば、洗浄水内に含まれている細菌を除去することと同時に、洗浄中に人体に残っている大膓菌も一緒に除去できる機能を備えたビデの必要性が台頭しているのが実情である。
【０００５】
従来は水中に含まれた細菌や微生物等を除去するための手段として化学薬品を利用してきたが、これによって環境問題をひき起こし、費用負担もあった。
例えば、塩素を利用した殺菌装置の場合、塩素は水中で発ガン物質であるツリ−ハロ−メタン(Tri-Halo-Methane;THM's)等のような有害な有機塩素化合物を生成するとか、空気中に蒸発しやすい。そのため、このような可能性を最小に抑えるために塩素濃度自体に対する許容基準値を合わせるのに多くの時間を要するといった問題がある。
【０００６】
また、オゾンを利用する方法の場合は、オゾンの高い酸化力と腐食力によって付帯装置を高価に構成しなければならない問題点がある。
そして、空気等の他の経路を通じて微生物再汚染の可能性がある。
【０００７】
また、飲用水に一番多く利用されている紫外線を利用する方法の場合は、殺菌のために多量の紫外線が要求されるのみならず、紫外線が照射された地域にいる微生物だけ殺菌されるという問題がある。そして、紫外線の照射が中断されれば殺菌機能を喪失するという問題がある。
【発明の開示】
【発明が解決しようとする課題】
【０００８】
本発明はこのような問題点を解決するために成されたもので、安全で無害な銀及び/または金イオンが発生されるようにして水中に含まれている有害な菌等の細胞内に容易に侵透して、優れた殺菌力を発揮することができるビデ用殺菌装置を提供することを目的とする。
【０００９】
また、ナノ(nano)の大きさの超微粒子イオンを放出するようにして、人体の兔疫力増大及び肛門周囲の皺が多い所のような人体の適用部位の殺菌ないし抗菌効果を極大化するビデ用殺菌装置を提供することを目的とする。結果的に、ビデ本来の目的である洗浄作用と共に、殺菌及び抗菌の効果まで発揮できるビデ用殺菌装置を提供することを目的とする。
【課題を解決するための手段】
【００１０】
本発明によるビデ用殺菌装置はビデ本体から整流された電流を収容する電流端子と、前記電流端子から収容された電流をイオン化に適正な電流で維持させる電流制御部と、水と接触されて前記整流された電流によってイオン化が起きる電極部と、前記電流制御部に一端が接触されて、他端は前記電極部と接触される電極ガイドポル、及び前記電極部が収容されるハウジングが含まれる。
【００１１】
また、本発明によるビデ用殺菌装置は水が入るイオン発生室と、前記イオン発生室で水が流入及び吐出される流入口及び吐出口と、前記イオン発生室が固定されるようにする締結翼が含まれるハウジング及び前記イオン発生室に収容される電極部が形成されて水にイオンが溶解されるようにするイオン発生部が含まれる。
【発明の効果】
【００１２】
本発明によるビデ用殺菌装置はハウジング内で銀及び/または金電極部が一定流速で流れる水と接触することで、銀及び/または金のイオンが発生されるようにする効果がある。
【００１３】
また、前記銀及び/または金イオンが超微粒子形態で発生されるようにすることで、水中に含まれている有害な菌等の細胞に容易に侵透して殺菌力を発揮することができる効果がある。
【００１４】
また、水中の一般細菌以外に窮極的にビデの水が触れる人体部位である肛門及び女性の局部部位に存在する病源菌を死滅させる効果がある。
【００１５】
また、他の製品に比べて殺菌装置の大きさが非常に小型で、ビデ内部に装着するのが容易のみならず、成型において製造費節減の効果ももたらすことができる。
【００１６】
また、本発明が小型のために発生されるまた他の効果中の一つは、使われる消費全力が１Ｗ以下に過ぎないために電気料が低廉で、それによって使用費用の節減が可能になる。
【００１７】
そして、本発明はイオン発生部をハウジングから自由に着脱が可能になるようになっていて、誰でも易しく交換設置が可能な長所も持っている。
【発明を実施するための最良の形態】
【００１８】
以下に本発明の具体的な実施例を図面と一緒に詳細に説明する。本発明の範囲は本発明の思想が提示される実施例に制限されるものでなく、また他の構成要素の追加、変更、削除等によって、退歩的な他の発明や本発明思想の範囲内に含まれる他の実施例を容易に提案することができる。
【００１９】
図１は本発明に係るビデ用殺菌装置の斜視図である。
図１を参照すれば、本発明による殺菌装置は水が集められるようにする殺菌装置のハウジング(20)と、銀及び/または金のイオン化が起きるイオン発生部(10)とが含まれる。前記図面は前記イオン発生部(10)と前記ハウジング(20)が結合された状態を示す。
【００２０】
詳細に説明すると、前記ハウジング(20)は外周面に水が流入されるための流入口（23）と、前記ハウジング(20)からイオン化された水が吐出されるための吐出口(22)と、前記ハウジング(20)がビデ本体に堅固に締結されるための締結翼(24)が含まれる。前記ハウジング(20)は円筒形状を成している。前記円筒形状は流入された水がハウジング内で渦(swirl)が一番よく起きるようにするための最適の実施例として示すが、これに限定されずに多様な形状を採用することが可能である。
【００２１】
詳細に説明すると、前記流入口(23)と前記吐出口(22)は前記ハウジング(20)の外周面でお互いに高さを異にして、またお互いに反対になる方向に形成される。そして、前記締結翼(24)は前記ハウジング(20)外周面の大体中間の高さに相互対称になるように形成される。前記締結翼(24)の水平縦断部には締結口が挿入されることができるように締結ホーム(25)が形成される。前記流入口と吐出口は必ず反対方向に形成されることに制限されるものではなく、渦が最大に起きることができる位置に多様に形成することができる。
【００２２】
詳細に説明すると、前記イオン発生部(10)の外部分は上端部に位置する覆い(14)と、前記覆いの陥没部分に形成される電流制御部(18)と、前記電流制御部(18)に一端が接合される電流端子(17)が含まれる。特に、前記覆い(14)は使用者が手で取って回転させ、前記ハウジング(20)から分離させやすいように、外側面が多角形を成している。そして、前記覆い(14)の上側面は一定の大きさと深さに陥没されている。
【００２３】
前記した本発明に係る殺菌装置の作用について説明する。
先に、流入口(23)を通じて入って来た水は前記ハウジング(20)内で銀及び/または金と反応してイオン化水になった後吐出口(22)で吐出される。特に、ビデ本体内部に装着されたマイコンから入って来る電流は前記電流端子(17)によって前記電流制御部(18)で通電される。そして、前記銀及びまたは金は前記通電された電流によって電極部で水と反応してイオン化が起きるようになる。
【００２４】
図２は前記図１のＣ−Ｃ‘によって切断した形を見せてくれる垂直断面図である。
図２を参照すれば、本発明殺菌装置は前記イオン発生部(10)と前記ハウジング(20)が結合され一つの殺菌装置が形成される。
前記殺菌装置の構成要素は前記で説明したところと同じである。そして、前記ハウジング(20)の上側内面と前記イオン発生部(10)の電極カバー(13)の外側面にはねじ山が形成される。そして、前記ねじ山の上側にゴム材質のパッキング(15)が前記電極カバー(13)の周囲をくるんでいる。そして、前記電極部(11)は前記ハウジング(20)内部の大体中央に位置するように前記電極ガイドポル(12)によって延長されている。
【００２５】
詳細に説明すると、前記イオン発生部(10)と前記ハウジング(20)は前記ねじ山の結合によって合致され、前記ハウジング(20)の内部が密閉になる。
また、前記イオン発生部(10)と前記ハウジング(20)がねじ結合をするために結合と分離が容易で、前記ハウジング(20)内のイオン化水が外部に流出されなくなる。
また、前記イオン発生部(10)と前記ハウジング(20)がねじ結合によって狭められながら前記パッキング(15)を締めてくれるために、前記パッキング(15)によってイオン化水が外部に漏出されることを二重で遮断することができる。
【００２６】
詳細に説明すると、前記電極部(11)が前記ハウジング(20)の中央部位に延長されていて、前記ハウジング(20)内部で起きる渦によってイオン化が迅速に、そして均一に起きることができる。
【００２７】
また、本発明の場合ビデ本体のパワースィッチがオン(ON)状態にあっても、前記殺菌装置内で水が流入される状態でだけ自動で電流制御部が作動して電流が流れるようにビデ本体のマイコンによって制御される。よって、ビデを使っていない状態、言い換えれば、殺菌装置内で水が流入されない状態ではビデ本体のパワースィッチがオン(ON)状態にあってもイオン化が起きないように構成される。結果的に、不必要な電極部のイオン化を防止することで、電極部の消耗を最大限に減らすことができる経済的利点を持っている。
【００２８】
図３は本発明に係るビデ用殺菌装置のイオン発生部の斜視図である。
図３を参照すれば、本発明のイオン発生部(10)は上述したところのように、電極部(11)と、前記電極部(11)を前記ハウジング(20)の大体の深さまで延長させてくれる電極ガイドポル(12)と、前記電極ガイドポル(12)と前記電極部(11)の間に形成される絶縁体(19)(未図示)と、前記電極ガイドポル(12)をくるむ電極カバー(13)と、前記電極カバー(13)の上側に位置する覆い(14)と、前記覆いの陥没された内部に形成される電流制御部(18)と、前記電流制御部(18)に一端部が接合される電流端子(17)が含まれる。
【００２９】
詳細に説明すると、前記電流端子(17)は屋内電源から入って来る電圧を一定電圧に整流するために、ビデ本体内部に設置されたマイコン(未図示)から一定量の直流電圧を収容する。ここで、前記マイコンから収容される直流電圧はイオンの濃度によって可変的で、約１２−２４Ｖが選択されることができる。
【００３０】
また、前記電流制御部(18)には前記電流端子(17)から収容される直流電圧を受けて、前記イオン化電極部に必要な適正な整電流で維持及び制御されることができるようにする整電流制御回路が内臓されている。
特に、前記電流制御部(18)はＰＣＢ(Printing Circuit Board:印刷回路基板)の形態で付着している。
【００３１】
また、前記電極部(11)は球の形状になっていて水との接触面積が最大になることができるように設計される。しかし、前記電極部(11)の形状は球に限定されなくて、パイプ形態の棒または板材(plate)の多様な形態に製作されることができる。
【００３２】
また、前記電極部(11)は材料において銀に限定されない。言い換えれば、銀や金で作られることもあり、本発明によるまた他の一実施例として金と銀を適切な比率で合金する等、多様な材料で製作されることができる。
詳細に説明すると、本発明に使われる電極は銀金属だけを利用して殺菌機能を具現した従来の技術より先に進んだこととして、９９．９９％以上の高純度銀と金等が使われる。そして、前記の高純度銀と金等に白金属元素の中で少なくとも一つの金属、望ましくはパラジウム(ｐａｌｌａｄｉｕｍ)を混合して製造されることができるし、金属元素の構成及びその構成費が前記電極の優秀な殺菌力が維持されるようにするのに重要な役割をする。
【００３３】
図４は前記図３のＡ−Ａ'について切断した形を見せている垂直断面図である。
図４を参照すれば、本発明によるイオン発生部(10)の電極ガイドポル(12)は一端部が前記電流制御部(18)と連結されて、大体の長さに延長されて他端部には前記電極部(11)と連結される。そして、前記電極ガイドポル(12)と前記電極部(11)の間には絶縁体(19)が挟まれる。そして、前記電極カバー(13)の外周面にはねじ山(16)が形成される。
ここで、前記電流端子(17)を経て入って来た一定電圧の直流電圧は前記電流制御部(18)の制御過程を経てイオン化に適当な整電流と整電圧で制御される。そして、整流された電流は図示されたところのように一極は電極ガイドポル(12)に接地されて、また一つの極は前記電極部(11)に接地される。結果的に、前記電極ガイドポル(12)と前記電極部(11)はそれぞれが一つの極を形成する。
このように、前記の電極部(11)と電極ガイドポル(12)及び絶縁体(19)を使うことで、従来のように陽極と陰極にそれぞれ一つずつ電極棒や電極版をつけて殺菌装置の規格を不必要に大きくする必要がない。
よって、装置の複雑性から脱皮することができる大きな長所があるだけでなく、交替時も二つ全部を交替しなければならない煩わしさを一掃することができる特徴がある。
【００３４】
また、前記電極カバー(13)の外周面にはねじ山(16)が形成されているから前記ハウジング(20)との結合及び分離が非常に容易である。そして、使用者は電極部(11)の交替の時に前記イオン発生部(10)全体を交換すれば良いので、誰でも易しく電極部(11)を交替することができる。
【００３５】
図５は本発明に係るビデ用殺菌装置のハウジングを説明する斜視図である。
図５を参照すれば、前記ハウジング(20)は上述したところのように、流入口(23)と吐出口(22)、前記ハウジング(20)が揺れないように締結するための締結翼(24)と、イオン化が起きる場所であるイオン発生室(21)が含まれる。
前記流入口(23)と吐出口(22)は終端部にホース締結部位(27)が形成されることで、終端部にホースまたはクランプを設置した時よく外れない構造に形成される。評細に説明すると、前記ホース締結部位(27)は前記流入口(23)及び吐出口(22)本体の直径より大きい直径を持って、外側へ行くほど直径が細くなるようになる。よって、ホースのような柔軟性連結部材が前記流入口や吐出口に簡単に挟まれて、反対によく外れなくなる。
【００３６】
また、前記ハウジング(20)の外周面に形成される流入口(23)と吐出口(22)の高さを異にして形成されるために、前記流入口(23)に入ってきた水が前記ハウジング(20)の上部から下部で渦を起こす。そして、前記渦によって水と前記電極部(11)とイオン化がより円滑に起きるようになる。
また、前記ハウジング内部の下側面の角がラウンドになった形状になることで、前記渦が柔軟に起きるようになって、イオン化がより促進されることができる。
また、前記ハウジング内部の下側面の角がラウンドなった形状になることで、イオン発生室(21)底面で銀イオンが沈殿されるとかはじき出されないようにして、均一な濃度のイオン化水を提供することができる。
【００３７】
図６は前記図５のＢ−Ｂ‘によって切断した形を見せてくれる垂直断面図で、図７は本発明に係るビデ用殺菌装置のハウジングの側面図である。
図６と図７を参照すれば、前記ハウジング内部の上側面にはねじ山(26)が形成されて、イオン発生室(21)が形成される。そして、前記ハウジング(20)の外周面の大体中央部には締結翼(24)が形成される。そして、前記締結翼(24)の終端部には締結ホーム(25)が形成されて前記ビデ用殺菌装置がビデ本体内で離脱されないようにする。前記流入口(23)と吐出口(22)の位置は本発明の実施例に制限されなくて、流入口(23)が吐出口(22)の上側に形成されることもできる。
【００３８】
前記のような特徴を持つ本発明によるビデ用殺菌装置は使用者の身体部位を清潔にさせるために使われる装置に装着されることができる。
【図面の簡単な説明】
【００３９】
【図１】本発明に係るビデ用殺菌装置の斜視図。
【図２】図１のＣ−Ｃ‘によって切断した垂直断面図。
【図３】本発明に係るビデ用殺菌装置のイオン発生部の斜視図。
【図４】図３のＡ−Ａ‘によって切断した垂直断面図。
【図５】本発明に係るビデ用殺菌装置のハウジングを説明する斜視図。
【図６】図５のＢ−Ｂ‘によって切断した垂直断面図。
【図７】本発明に係るビデ用殺菌装置のハウジングの側面図。
【符号の説明】
【００４０】
10・・・イオン発生部
11・・・電極部
12・・・電極ガイドポル
13・・・電極カバー
14・・・覆い
15・・・パッキング
16・・・ねじ山
17・・・電流端子
18・・・電流制御部
19・・・絶縁体
20・・・ハウジング(housing)
21・・・イオン発生室
22・・・吐出口
23・・・流入口
24・・・締結翼
25・・・締結ホーム
26・・・ねじ山
27・・・ホース締結部位
【図１】
2005042533.tif 000003
【図２】
2005042533.tif 000004
【図３】
2005042533.tif 000005
【図４】
2005042533.tif 000006
【図５】
2005042533.tif 000007
【図６】
2005042533.tif 000008
【図７】
2005042533.tif 000009